(57)【特許請求の範囲】
【請求項１】
一端側（１１）が電子回路基板に装着される電子部品と接続され、他端側（１２）が外部電子回路と着脱自在に接続される接続用金属端子（１）と、前記接続用金属端子（１）に一体成形され、前記一端側（１１）に接続された前記電子部品を外部流体から保護する為の環状のゴム状弾性材製ガスケット（２）とよりなるコネクターシールにおいて、
前記接続用金属端子（１）の表面に前記ガスケット（２）からのびる接着拡大部（３）を設けると共に、前記ガスケット（２）と前記接着拡大部（３）との境界部に凹部（３１）を設けたこと特徴とするコネクターシール。
【請求項２】
前記接続用金属端子（１）が、厚さ０．０３〜１．００ｍｍ、幅２〜７ｍｍの導電性金属板で構成されていることを特徴とする請求項１記載のコネクターシール。
【請求項３】
前記接続用金属端子（１）の表裏両面に存在する前記接着拡大部（３）が、前記接続用金属端子（１）に設けた貫通孔（１３）により、連結していることを特徴とする請求項１または２記載のコネクターシール。
【請求項４】
前記接着拡大部（３）が、前記接続用金属端子（１）の電気的接続に必要な領域以外を被覆していることを特徴とする請求項１〜３いずれか一項請求項記載のコネクターシール。
【請求項５】
前記接続用金属端子（１）、（１）の各々が、一体化された金具（１４）に、前記ガスケット（２）を一体成形した後、前記金具（１４）から前記接続用金属端子（１）、（１）を切断分離することを特徴とする請求項１〜４のいずれか一項に記載のコネクターシールの製造方法。
【発明の詳細な説明】
【技術分野】
【０００１】
本発明は、コネクターシール及びその製造方法に関するものである。
更に詳しくは、燃料の液位センサ等に使用されるコネクターシールに関する。
【背景技術】
【０００２】
従来、燃料の液位センサ等に使用されるコネクターシールは、回路基板とコネクタとを樹脂で一体的に被覆するコネクターシールが提案された。（特許文献１）
しかし、この種コネクターシールは、真空による低圧成形であるために、金型構造及び製造設備が複雑になるとともに、作業効率が悪かった。
更に、樹脂で回路基板を一体的に被覆してしまう為に、成形後に回路基板を交換できない問題を惹起した。
【０００３】
そこで、図６及び図７に示す様に、一端側１１０が、図示しない電子回路基板に装着される電子部品と接続され、他端側１２０が、図示しない外部電子回路と着脱自在に接続される接続用金属端子１００と、この接続用金属端子１００に一体成形され、一端側１１０に接続された電子部品を外部流体から保護する為の環状のゴム状弾性材製ガスケット２００とよりなるコネクターシールが提案された。
【０００４】
この様な構成とする事により、樹脂で回路基板を一体的に被覆する従来技術の問題は解消出来るが、以下の新たな問題を招来した。
この種コネクターシールは、ガスケット２００が図示しない平面部材間で挟持されることにより、外部流体の浸入を阻止する構成となっているが、ガスケット２００が平面部材間で挟持された際、接続用金属端子１００とガスケット２００との接着界面で剥離が起こり、該剥離部より外部流体の浸入を許容してしまう問題を惹起した。
特に、接続用金属端子１００が、厚さ０．０３〜１．００ｍｍ、幅２〜７ｍｍ程度の、薄くて小さい導電性金属板で構成されている場合に、剥離の問題が顕著であった。
【先行技術文献】
【特許文献】
【０００５】
【特許文献１】特開２００４−１１１４３５号公報
【発明の概要】
【発明が解決しようとする課題】
【０００６】
本発明は以上の点に鑑みて、接続用金属端子にゴム状弾性材製ガスケットを一体成形した形態のコネクターシールであって、接続用金属端子とゴム状弾性材製ガスケットとの接着界面で剥離が起こったとしても、外部流体の浸入を阻止する構成とすることにより、組み立て及び分解が容易で、良好なシール性能を発揮出来るコネクターシールを提供することを目的とする。
【課題を解決するための手段】
【０００７】
上記目的を達成するために本発明にあっては、一端側が電子回路基板に装着される電子部品と接続され、他端側が外部電子回路と着脱自在に接続される接続用金属端子と、前記接続用金属端子に一体成形され、前記一端側に接続された前記電子部品を外部流体から保護する為の環状のゴム状弾性材製ガスケットとよりなるコネクターシールにおいて、
前記接続用金属端子の表面に前記ガスケットからのびる接着拡大部を設けると共に、前記ガスケットと前記接着拡大部との境界部に凹部を設けたことを特徴とする。
【発明の効果】
【０００８】
本発明は、以下に記載されるような効果を奏する。
請求項１記載の発明のコネクターシールによれば、接続用金属端子とゴム状弾性材製ガスケットとの接着界面で剥離が起こったとしても、外部流体の浸入を阻止する構成とすることにより、組み立て及び分解が容易で、良好なシール性能を発揮出来ると共に、ゴム状弾性材製ガスケットを平
面部材間で挟持された際の変形が、接着拡大部に影響する事を抑えることが出来る為、接着拡大部の剥離を効果的に阻止出来る。
請求項２記載の発明のコネクターシールによれば、薄くて小さい接続用金属端子において、良好なシール性能を発揮する。
【０００９】
更に、請求項３記載の発明のコネクターシールによれば、接続用金属端子と接着拡大部との接着をより強固に出来る為、良好なシール性能を発揮出来る。
更に、請求項４記載の発明のコネクターシールによれば、接続用金属端子と接着拡大部との接着面積を最大限とする事が出来る為、良好なシール性能を発揮出来る。
【００１０】
更に、請求項５記載の発明のコネクターシールの製造方法によれば、接続用金属端子の取り扱いが容易となる為、成形時間を短縮できると共に、精度の良い成形品を得る事が出来る。
【図面の簡単な説明】
【００１２】
【図１】本発明のコネクターシールの平面図。
【図２】図１のＡ−Ａ断面図。
【図３】本発明のコネクターシールの製造工程を示す平面図。
【図４】本発明のコネクターシールの製造工程を示す部分平面図。
【図５】図４に示す製法で作成した本発明のコネクターシールの平面図。
【図６】従来技術図のコネクターシールの平面図。
【図７】図６のＢ−Ｂ断面図。
【発明を実施するための形態】
【００１３】
以下、本発明を実施するための形態について説明する。
図１乃至図３に基づき発明を実施するための最良の形態について説明する。
【００１４】
本発明のコネクターシールは、図１及び２に示す様に、一端側１１が、図示しない電子回路基板に装着される電子部品と接続され、他端側１２が、図示しない外部電子回路と着脱自在に接続される接続用金属端子１と、この接続用金属端子１に一体成形され、一端側１１に接続された電子部品を外部流体から保護する為の環状のゴム状弾性材製ガスケット２とより構成されている。
【００１５】
更に、この接続用金属端子１の表面には、ガスケット２から、一体的にのびるゴム状弾性材製の接着拡大部３が設けられている。
この接着拡大部３は、接続用金属端子１の電気的接続に必要な領域（図上網掛けハッチングで示した箇所）以外を被覆する形で存在する。
このことにより、接続用金属端子１と接着拡大部３との接着面積を最大限とする事が出来る為、良好なシール性能を発揮出来る。
【００１６】
また、図２に示す様に、接着拡大部３の最大厚さＸはガスケット２の厚さＹよりも小さい。
より具体的には、接着拡大部３の最大厚さＸは、ガスケット２が良好な密封性能を発揮するまで圧縮された際にも、悪影響を及ぼさない程度の厚さに設計される。
また、接続用金属端子１の表裏両面に存在する接着拡大部３は、接続用金属端子１に設けた貫通孔１３により連結している。
このため、接続用金属端子１と接着拡大部３との接着をより強固に出来る為、良好なシール性能を発揮出来る。
【００１７】
更に、ガスケット２と接着拡大部３との境界部に凹部３１を設けている。
この事により、ゴム状弾性材製ガスケット２を平面部材間で挟持された際の変形が、接着拡大部３に影響する事を抑えることが出来る為、接着拡大部３の剥離を効果的に阻止出来る。
【００１８】
ガスケット２の材質は、ＦＫＭ、シリコーンゴム、ＥＰＤＭ、ニトリルゴム、アクリルゴム、ＨＮＢＲ等の各種のゴム状弾性体を適宜選択して使用出来る。
【００１９】
また、ガスケット２及び接着拡大部３と接続用金属端子１との接着面には、各種の接着剤が適宜選択して用いられるが、接続用金属端子１の電気的接続に必要な領域（図上網掛けハッチングで示した箇所）には、接着剤を塗布しないか、塗布した場合は、ショットブラスト、研磨等の物理的方法若しくは溶剤で溶解して徐去する。
尚、接着剤が導電性を有していれば、除去する必要は無い。
【００２０】
また、本発明で使用される接続用金属端子１は、厚さ０．０３〜１．００ｍｍ、幅２〜７ｍｍの導電性金属板で構成されている。
更に、接続用金属端子１の一端側１１には、図示しない電子回路基板に装着される電子部品と接続する為の貫通孔１１１、１１１が形成されている。
導電性金属材としては、ＳＵＳ、ＳＰＣＣ、銅合金等が適宜選択して用いられる。
また、接続用金属端子１の接着表面は、ゴムとの接着性を高める目的で、ショットブラストや研磨により荒らした状態としておくことが好ましい。
【００２１】
ついで、本発明のコネクターシールの製造方法につき、図３に基づき説明する。
本発明で使用される接続用金属端子１は、厚さ０．０３〜１．００ｍｍ、幅２〜７ｍｍの薄くて小さな導電性金属板で構成されている。
この為、接続用金属端子１の取り扱いが煩雑で、成形段階における作業効率を落としていた。
【００２２】
そこで、本発明においては、図３に示す様に、接続用金属端子１、１の各々が、一体化された金具１４に、ガスケット２を一体成形した後、この金具１４から各々の接続用金属端子１、１を、Ｚ−Ｚラインに沿って切断分離することにより、コネクターシールを製造する。
この事により、接続用金属端子１の取り扱いが容易となる為、成形時間を短縮できると共に、精度の良い成形品を得る事が出来る。
【００２３】
更に、この金具１４から接続用金属端子１、１を切断分離する際、図４の破線で示す様に、接続用金属端子１、１の両側面１５、１５も同時に切断することが望ましい。
この事により、成形時に発生した、接続用金属端子１の両側面１５、１５に付着した余分なゴム状弾性材（ゴムバリ）２１の除去が不要となる為、ゴムバリ２１の除去の手間が省けるばかりでなく、ゴムバリ２１の除去の際に、接続用金属端子１を変形させる問題を解消出来る。
また、図５は、図４に示す製法で作成した本発明のコネクターシールを、図１と同様に平面で表した図である。
すなわち、金属端子１の他端側１２には、接続用金属端子１の両側面１５、１５を切断したことによる段部が存在する構成となっている。
【００２４】
また、本発明は上述の発明を実施するための最良の形態に限らず、本発明の要旨を逸脱することなくその他種々の構成を採り得ることはもちろんである。
【符号の説明】
【００２５】
１    金属端子
２    ガスケット
３    接着拡大部
１１  一端側
１２  他端側
１１  液晶側ケース部材
１２  キーパッド側ケース部材
１３  貫通孔
１４  金具
１５  側面
２１  ゴムバリ
【図１】
0005625594.tif 000002
【図２】
0005625594.tif 000003
【図３】
0005625594.tif 000004
【図４】
0005625594.tif 000005
【図５】
0005625594.tif 000006
【図６】
0005625594.tif 000007
【図７】
0005625594.tif 000008